(57)【要約】【課題】枠状の機構板一側の横幅寸法を極力狭め、遊技盤裏面に十分な設置スペースを確保して表示装置や制御基板の大型化に対処できる遊技機を提供する。【解決手段】遊技機本体Ｐ１の裏側にその外周縁部を覆うようにして枠状の機構板７を装着し、機構板７の一側に球タンク８からの遊技球がタンクレール９下端のカーブレール１１及びその下方の供給通路１２を介して供給される球払出装置１３を装着し、カーブレール１１から分岐し機構板７の一側に沿って上下方向に配置される球抜き通路４２を設けた遊技機Ｐであって、前記供給通路１２から球払出装置１３部位までに対応する球抜き通路４２ａは、供給通路１２及び球払出装置１３の前側に位置し、球抜き通路４２と供給通路１２及び球払出装置１３とが前後方向で重なるようにした。【選択図】図８
2007007096.tif 000002
【特許請求の範囲】
【請求項１】
遊技機本体の裏側にその外周縁部を覆うようにして枠状の機構板を装着し、前記機構板の一側に球タンクからの遊技球がタンクレール下端のカーブレール及びその下方の供給通路を介して供給される球払出装置を装着し、前記カーブレールから分岐し前記機構板の一側に沿って上下方向に配置される球抜き通路を設けた遊技機であって、
前記供給通路から前記球払出装置部位までに対応する前記球抜き通路は、前記供給通路及び前記球払出装置の前側に位置し、前記球抜き通路と前記供給通路及び前記球払出装置とが前後方向で重なるようにしたことを特徴とする遊技機。
【発明の詳細な説明】
【技術分野】
【０００１】
本発明は、遊技機本体の裏側に装着される枠状の機構板の一側に、球タンクからの遊技球がタンクレール下端のカーブレール及び供給通路を介して供給される球払出装置を装着し、前記カーブレールから分岐して球抜き通路を設けた遊技機に関するものである。
【背景技術】
【０００２】
従来、遊技機の一種であるパチンコ遊技機は、遊技機本体に遊技盤が配設され、該遊技機本体の裏側に遊技盤の外周縁部を覆うようにして機構板が装着されている。そして、該機構板の上部に球タンク、その下方に該球タンクに貯留される遊技球を下流に導くタンクレールが配置される。また、機構板の一側であってタンクレールの下端にカーブレールが連設され、該カーブレールの下方に供給通路を介して球払出装置が装着される。一方、前記カーブレールから分岐し前記機構板の一側に沿って上下方向に配置される球抜き通路を設けている。この球抜き通路は前記供給通路及び球払出装置の横に並置するようにして設けられている（例えば、特許文献１参照。）。
【特許文献１】特開２００３−１９０３９５号公報（第１０頁、図４）
【発明の開示】
【発明が解決しようとする課題】
【０００３】
ところで、近時、遊技盤の中央部に情報を変動表示させる表示装置を配置すると共にその下方に遊技球が入賞することにより前記情報を変動させる始動入賞口を装着し、更にその下方に大型の入賞装置を装着してなり、前記始動入賞口に遊技球が入賞して前記情報が変動し、その停止したときの情報が特別の情報（例えば、「７７７」）に揃ったとき入賞装置の球入口を開放して、一定の条件の元で一度に多くの入賞球が得られるようにしたパチンコ遊技機が好評を博している。また、前記表示装置は、遊技の興趣を高めたいという理由により大型化する傾向にある。更に、これに伴い遊技を制御する制御基板も大型化する傾向にある。
【０００４】
しかしながら、前記機構板には、球タンク、タンクレール、供給通路、球払出装置、球抜き装置等の多くの機構部品が配設されており、特にその球払出装置が装着される一側では、供給通路及び球払出装置と共に球抜き通路が横に並置して設けられているので、その分機構板の横幅が広くなって遊技盤裏面の設置スペースを広く取ることができず、前記表示装置や制御基板の大型化を難しくしている。
【０００５】
そこで、本発明は上記課題を解決すべくなされたもので、機構板の一側であって球抜き通路と供給通路及び球払出装置とが前後方向で重なるようにしてその部位の横幅を極力狭め、遊技盤裏面に十分な設置スペースが確保されるようにして表示装置や制御基板の大型化、更にはその付近の役物の設置にも十分に対処できるようにした遊技機を提供することを目的とするものである。
【課題を解決するための手段】
【０００６】
かかる目的を達成するため本発明に係る遊技機は、遊技機本体の裏側にその外周縁部を覆うようにして枠状の機構板を装着し、機構板の一側に球タンクからの遊技球がタンクレール下端のカーブレール及びその下方の供給通路を介して供給される球払出装置を装着し、カーブレールから分岐し機構板の一側に沿って上下方向に配置される球抜き通路を設けた遊技機であって、前記供給通路から球払出装置部位までに対応する球抜き通路は、供給通路及び球払出装置の前側に位置し、球抜き通路と供給通路及び球払出装置とが前後方向で重なるようにした構成からなる。
【発明の効果】
【０００７】
本発明に係る遊技機は、供給通路から球払出装置部位までに対応する球抜き通路を供給通路及び球払出装置の前側に位置させ、球抜き通路と供給通路及び球払出装置とが前後方向で重なるようにした。これにより、その部位での機構板の横幅寸法を狭く設定でき、その分遊技盤裏面の設置スペースが広く取れるようになる。よって、例えば、表示装置や制御基板の大型化に十分対処できるばかりか、その付近の役物の設置も支障なく行なえるという効果がある。
【発明を実施するための最良の形態】
【０００８】
以下、本発明に係る遊技機の実施の形態を図面に基づき説明する。なお、パチンコ遊技機、アレンジボール機または雀球遊技機等の遊技機の内、本発明にあっては、その一例としてパチンコ遊技機について説明する。図１は本発明に係るパチンコ遊技機の裏面図、図２は機構板の裏から見た斜視図、図３は機構板の表から見た斜視図、図４は機構板の一部を断面にして示す裏面図、図５は機構板の平面図である。
【０００９】
パチンコ遊技機Ｐは、縦長方形状の外枠１とその前面に開閉自在に装着される内枠２と該内枠２に配設される遊技盤３とからなる遊技機本体Ｐ１を有する。図示は省略するが、前記遊技機本体Ｐ１の前面には、遊技盤３の前面を覆う透明板保持枠、打球発射部へ供給される遊技球を貯留するための上球皿が装着された前面板、上球皿から溢れた遊技球を貯留する下球皿及び操作ハンドルが装着される。
【００１０】
一方、前記遊技盤３の裏面に、その裏面を覆うようにして合成樹脂製の入賞球集合カバー４が装着される。この中央には、遊技盤３面に装着される表示装置（図示せず。）の後部の突出部を覆うカバー部材５が取着される。前記入賞球集合カバー４の下方に球寄せ樋６が設けられ、入賞球集合カバー４により寄せ集められた入賞球を下方から外部へ排出するようにしている。
【００１１】
また、前記遊技機本体Ｐ１すなわち内枠２の裏側に、その上部と一側部を覆うようにして機構板７が装着される。この機構板７は、合成樹脂製であって図２に示すように水平板部７ａと垂直板部７ｂとにより逆Ｌ字型の枠状に成形され、垂直板部７ｂの一側を内枠２に開閉自在に軸着している。水平板部７ａの裏面一側に、パチンコ遊技機Ｐの上方に配置される遊技球補給経路（図示せず。）から補給される遊技球を貯留する球タンク８が配置される。水平板部７ａの他側には、球タンク８の下部に一部重なるようにしてタンクレール９が装着されている。
【００１２】
前記タンクレール９の流下端にカーブレール１１が連設されると共にその下方に垂直板部７ｂに沿って供給通路１２が連設される。この供給通路１２の下端に、例えば入賞球が発生したときに所定個数の景品球を払い出す球払出装置１３が装着されている。また、該球払出装置１３の下方には、該球払出装置１３から払い出された景品球としての遊技球を前記上球皿に排出するための球排出通路１４が装着される。
【００１３】
前記球タンク８は、合成樹脂製であって上面が開口する有底箱枠状、詳しくは略横長長方形状に成形される。そして、底壁１５ｅの一側、すなわち前記球払出装置１３に近い側であって後側壁１５ｂと後から見て右側壁１５ｃとのなす後側隅部に、貯留される遊技球を排出するための導出口１６が開設されている。この導出口１６は、球タンク８の平面長方形状と同じく左右に長い平面長方形状をなす。
【００１４】
また、球タンク８内における導出口１６の上方であって下側を一段の遊技球が通過できる程度の高さ位置に、導出口１６の全体が覆われかつ遊技球が落下する外周縁に向かって上面が下傾する合成樹脂製の球受部材１８が配設される。この球受部材１８は、前記導出口１６へ流れ込む遊技球の一部を受け止め、導出口１６へ流れ込む遊技球の特に上下方向の球圧を軽減し、導出口１６部位での球詰まりを防止するようにしたものである。
【００１５】
球タンク８の導出口１６が、球払出装置１３に近い側であって後側縁部に開設されている関係上、タンクレール９に対応する機構板７の裏面に後方へ突出する張り出し部１９が設けられ、そのほぼ鉛直な後面に前記タンクレール９が装着される。タンクレール９は、上面が開放されると共に前後二条の球通路１０，１０を備えており、カーブレール１１側に下傾している。また、二条の球通路１０，１０を仕切る中央の仕切壁２０は、その上流側に上方へ突出する突部２１が一体に設けられている。この突部２１より上流側の上端縁２１ａと下流側の上端縁２１ｂは共に凹弧状に成形される。
【００１６】
タンクレール９の上方であって、前記張り出し部１９の後面には、その中央の上方に球ならし部材２２が配置され、タンクレール９の流下端の上縁に球整流部材２３が配置される。球ならし部材２２は、支持片２４の上端をビス２５により軸着され、該ビス２５を中心としてタンクレール９に沿って自在に揺動できるようになっている。
【００１７】
前記支持片２４の下方に、タンクレール９の上流側に膨らむ弧状に成形され両球通路１０，１０内を流下する遊技球を上から押えて球ならしする押圧片２６が設けられる。また、その中央にタンクレール９の上流側と下流側に突設しかつ下端が前記突部２１より下流側の上端縁２１ｂに近接すると共に仕切壁２０とほぼ同一平面状に位置する振分板２７が突設されている。下流側に突設する振分板２７には、前記球ならし部材２２を垂下した状態で球整流部材２３の後記する横杆部３２が係脱自在に係合する係合凹部２８が設けられる。
【００１８】
前記球整流部材２３は、表面に樹脂コーティングされた金属棒を屈曲して成形され、前記各球通路１０，１０のほぼ中央線に沿って位置しかつ下方へ向かってなだらかに湾曲する二本の球整流部２９，２９を有する。そして、これらの各基端部にタンクレール９の前側壁と後側壁間に差し渡された支軸３０を挿通する軸挿通部３１が設けられ、両先端部は水平な横杆部３２により一体に連結される。この横杆部３２は球ならし部材２２の前記係合凹部２８に係合して球ならし部材２２と共に球整流部材２３が無用に上下動作しないようにしっかりと固定する機能を果たしている。
【００１９】
また、前記支軸３０に、例えば、球払出装置１３が故障したとき、タンクレール９内を流下する遊技球の球払出装置１３への供給を停止させる球止板３３が軸着される。球止板３３は、各球通路１０，１０内へ突入し得る爪状の球止片３３ａを二本有しており、一方へ回動させることにより前記両球止片３３ａが両球通路１０，１０内に突入し、他方へ回動させることにより両球止片３３ａ，３３ａが両球通路１０，１０から抜かれる。通常は、球止板３３を他方へ回動させて各球止片３３ａを各球通路１０から抜いておく。
【００２０】
図６に示すように、前記遊技機本体Ｐ１の裏側でありかつタンクレール９の上方であって球ならし部材２２の上流側に位置して、前方へ窪むと共に底面３４ａがタンクレール９側へ下傾してその後端縁３４ｂが該タンクレール９の上面に臨む球出空間部３４が設けられる。この球出空間部３４は、タンクレール９内の上方へ盛り上がる遊技球であってその底面３４ａよりも上方に位置する一部の遊技球を逃がすためのものである。これにより、前記盛り上がる遊技球部位の球荷重を軽減し、その部位での遊技球の球詰まりを防止している。
【００２１】
球タンク８内に貯留される遊技球は、導出口１６を介してタンクレール９内に排出され、二条の球通路１０，１０に沿って流下することになる。そこで、図４に示すように球ならし部材２２の上流側であって球通路１０，１０内に遊技球が上方へ盛り上がって多段に積み重ねられる部位があっても、その上部の一部は、図６に示すように球出空間部３４内に排出される。これにより、その部位での球荷重が軽減され、下部に大きな球圧が掛からないので、その部位で球詰まりが起こることはなく、遊技球はそのまま下流側へ流れる。
【００２２】
そして、前記盛り上がった部位の遊技球が減ってその部位が底面３４ａの後端縁３４ｂよりも下がると、その底面３４ａに載っていた遊技球は再び球通路１０，１０内へ戻る。そして、仕切壁２０の突部２１によりいずれかの球通路１０，１０に分けられ、更に球ならし部材２２により下方へ搾られると共に球整流部材２３により一列に整流されてカーブレール１１側へ送られる。
【００２３】
前記カーブレール１１の底壁には、図７、図８に示すように球抜き口３５が開設され、該球抜き口３５の一側に該球抜き口３５を開閉する球抜き部材３６が配置される。該球抜き部材３６は、カーブレール１１の外側に突設した支持軸３７に嵌着する軸筒部３８を有し、該軸筒部３８の一側に前記球抜き口３５を開閉する蓋部材３９が一体に設けられている。また、軸筒部３８の外周面に対向位置して把手片４０，４０が突設される。図示は省略するが、前記上部の把手片４０の内面とこれと対向するカーブレール１１の外面には、互いに係脱自在に係合して前記球抜き口３５を蓋部材３９で閉じた状態を保持し得る凸部と凹部が設けられている。
【００２４】
常態では、前記凸部が凹部に係合して図７実線に示すように蓋部材３９により球抜き口３５を閉じている。これにより、タンクレール９を流下する遊技球は、供給通路１２を介して球払出装置１３に供給される。また、例えば入賞球が発生すると、球払出装置１３から球排出通路１４に所定量の遊技球が排出される。ちなみに、排出された遊技球はパチンコ遊技機Ｐ前側の上球皿に貯留される。
【００２５】
前記球抜き口３５の下方には流入口４１が開設され、該流入口４１と連通するようにして球抜き通路４２が設けられる。球抜き通路４２は、機構板７の垂直板部７ｂに沿って設けられるが、図７、図８に示すように供給通路１２のほぼ中間位置から球払出装置１３の下側位置までに対応する対応部分４２ａが供給通路１２及び球払出装置１３の前側に位置している。すなわち、球抜き通路４２の対応部分４２ａと供給通路１２及び球払出装置１３とが前後方向で重なることになる。一方、球払出装置１３の下方にあっては、前記球抜き通路４２が球排出通路１４と横に並置される。また、その下端に流出口４３が開設されている。
【００２６】
そこで、パチンコホールでは、遊技終了後に各パチンコ遊技機Ｐにつき球止板３３を回動させ球抜き口３５を開いて球タンク８内の遊技球がすべて抜かれる。この際、球抜き口３５に流入した遊技球は、流入口４１から球抜き通路４２に入り下端の流出口４３から外部へ排出される。
【００２７】
このように、本発明は、供給通路１２から球払出装置１３部位までに対応する球抜き通路４２が供給通路１２及び球払出装置１３の前側に位置し、これらが前後方向で重なるようにしている。よって、機構板７一側の垂直板部７ｂにあっては、供給通路１２及び球払出装置１３部位の横幅寸法Ｗが狭く設定でき、その分遊技盤３裏面の設置スペースが広く取れるようになる。これにより、例えば、遊技盤３の中央に配置される表示装置や制御基板の大型化に十分対処できるばかりか、その付近の役物の設置も支障なく行なえる。
【００２８】
また、本発明にあっては、球タンク８における球払出装置１３に近い側でありかつ後側隅部に導出口１６を設けるようにしているので、従来に比べタンクレール９の取付位置をより高くでき、これによってもその下方の遊技盤３裏面の設置スペースが広く取れる。よって、例えば、遊技盤３の中央に配置され表示装置や制御基板の大型化、更にはその付近の役物の設置にも十分に対処できる。また、この場合、タンクレール９の長さも短くなって、その組付けが容易になるばかりか金型代も安くなり製作コストを下げることができるという効果がある。
【図面の簡単な説明】
【００２９】
【図１】本発明に係るパチンコ遊技機の裏面図。
【図２】機構板の裏から見た斜視図。
【図３】機構板の表から見た斜視図。
【図４】機構板の一部を断面にして示す裏面図。
【図５】機構板の平面図。
【図６】図４のＡ−Ａ線拡大断面図。
【図７】機構板の垂直部分の一部の拡大裏面図。
【図８】機構板の垂直部分の側面断面図。
【符号の説明】
【００３０】
７                  機構板
８                  球タンク
９                  タンクレール
１１                カーブレール
１２                供給通路
１３                球払出装置
４２                球抜き通路
４２ａ              対応部分
Ｐ                  遊技機（パチンコ遊技機）
Ｐ１                遊技機本体
【図１】
2007007096.tif 000003
【図２】
2007007096.tif 000004
【図３】
2007007096.tif 000005
【図４】
2007007096.tif 000006
【図５】
2007007096.tif 000007
【図６】
2007007096.tif 000008
【図７】
2007007096.tif 000009
【図８】
2007007096.tif 000010